(57)【要約】【課題】  身体の冷えを防止し得ると共に着用者に違和感を与えにくく、また装着操作が容易で且つ、使用後においてもずれ落ちることのなく、外観的にも優れたパンツ型使い捨ておむつを提供すること。【解決手段】  外包材１１が、吸収性コア４の前後端部から前後方向へそれぞれ延出する腹部フラップ部Ｆａ及び背部フラップ部Ｆｂを有する。腹部フラップ部Ｆａ及び背部フラップ部Ｆｂは、おむつ１の着用状態において、それらの端縁が着用者の臍点を越えて延在し着用者の腹部及び背部を十分に覆うような長さを有している。おむつ１には、該おむつ１の着用状態において、着用者の腸骨稜から上前腸骨棘にかけての部位に該おむつ１を固定し得る手段が備えられている。【選択図】    図１
2006043015.tif 000002
【特許請求の範囲】
【請求項１】
胴開口部と一対のレッグ開口部とが形成されたパンツ型の使い捨ておむつであって、
前記おむつは、吸収性コアの前後端部から前後方向へそれぞれ延出する腹部フラップ部及び背部フラップ部を有し、該腹部フラップ部及び背部フラップ部は、おむつの着用状態において、それらの端縁が着用者の臍点を越えて延在し着用者の腹部及び背部を十分に覆うような長さを有しており、
前記おむつに、該おむつの着用状態において、着用者の腸骨稜から上前腸骨棘にかけての部位に該おむつを固定し得る手段が備えられているパンツ型使い捨ておむつ。
【請求項２】
前記腹部フラップ部及び背部フラップ部は何れもその縦方向の剛性が１０〜４０Ｎ／ｍとなされている請求項１記載のパンツ型使い捨ておむつ。
【請求項３】
前記おむつの腹側部及び背側部それぞれには、該おむつの着用状態において、着用者の腸骨稜から上前腸骨棘にかけての部位に当接する部位に、おむつ幅方向に延びる弾性部材が配されている請求項１又は２記載のパンツ型使い捨ておむつ。
【請求項４】
前記弾性部材が配されている部位は、おむつ着用時の圧力が１．１〜２．５ｋＰａとなされており、
前記腹部フラップ部及び前記背部フラップ部における、前記弾性部材が配されている部位以外の部位でのおむつ着用時の圧力が０．２〜１．５ｋＰａとなされている請求項３記載のパンツ型使い捨ておむつ。
【請求項５】
前記弾性部材が配されている部位はおむつの幅方向に延在し且つ該部位の幅が１５〜３５ｍｍである請求項４記載のパンツ型使い捨ておむつ。
【請求項６】
前記おむつの展開状態において、長手方向中心線から腹側部の前記部位の中心位置との間の距離が１８０〜２２０ｍｍであり、且つ長手方向中心線から背側部の前記領域の中心位置との間の距離が１８０〜２２０ｍｍである請求項３ないし５の何れかに記載のパンツ型使い捨ておむつ。
【請求項７】
前記弾性部材が配されている部位が、おむつの左右両側縁と前記吸収性コアの左右両側縁との間に主として存在している請求項３ないし６の何れかに記載のパンツ型使い捨ておむつ。
【請求項８】
前記おむつの腹側部及び背側部それぞれには、該おむつの着用状態において、着用者の腸骨稜から上前腸骨棘にかけての部位に当接する部位に、着用者の肌と接触し、摩擦力を大きくする手段が施されている請求項１又は２記載のパンツ型使い捨ておむつ。
【発明の詳細な説明】
【技術分野】
【０００１】
本発明はパンツ型使い捨ておむつに関し、更に詳しくはいわゆる腹巻きタイプのパンツ型使い捨ておむつに関するものである。
【背景技術】
【０００２】
パンツ型使い捨ておむつを着用者の身体と密着させるための種々の提案がなされている。例えば、おむつの少なくとも腹側が、コアの前端縁を境とする上下各最大２０ｍｍの範囲で画成される第１胴周り域と、該第１胴周り域とレッグ開口部との間に画成される第２胴周り域とを有し、第１胴周り域における弾性部材の各々の配列間隔寸法を、第２胴周り域における弾性部材の各々の配列間隔寸法よりも小さくしたパンツ型使い捨ておむつが提案されている（特許文献１参照）。このおむつは、第１胴周り域及び第２胴周り域における一定面積の当たりの面圧を実質的に等しくしつつ、肌に対する密着性に関し、第１胴周り域を第２胴周り域よりも良好にすることで、おむつの着用感を損なうことなく漏れを防止しようとするものである。
【０００３】
また弾性部材の配設間隔を、レッグ開口部に向かうに連れて漸次狭くなるようにすることで、着用者の胴部腰骨の上部に強い収縮力が働くようにしたパンツ型使い捨ておむつも知られている（特許文献２参照）。
【０００４】
これらのおむつとは別に、着用者の胴周囲方向に配設する弾性体を、腹部の膨らみの上方部分と下方部分に当設するようにすることにより、腹部への圧迫感のない腹巻きタイプのパンツ型使い捨ておむつも提案されている（特許文献３参照）。
【０００５】
特許文献１及び２記載のパンツ型おむつは、或る程度股上が深いことから、おむつをずり上げることで着用者の臍付近までが覆われるようになる。また、特許文献３記載のパンツ型おむつでは、通常の装着状態で、着用者の臍付近までがおむつで覆われるようになる。これらのおむつは、装着直後においては比較的良好なフィット性を示すものの、着用者が動くことによって次第におむつがずり落ちてきてしまい、腹部が露出してきて着用状態の外観が悪くなる。それに伴ない吸収性能に悪影響を与え、使い捨ておむつにおいて重要な要求性能である漏れ防止に対する「安心感」を達成しているとは言えないのが現状である。
【０００６】
【特許文献１】特開平９−８４８２６号公報
【特許文献２】実開平６−４２１号公報
【特許文献３】特許第３０８４２０３号公報
【発明の開示】
【発明が解決しようとする課題】
【０００７】
従って本発明の目的は、前述した従来技術が有する種々の欠点を解消し得るパンツ型使い捨ておむつを提供することにある。
【課題を解決するための手段】
【０００８】
本発明は、胴開口部と一対のレッグ開口部とが形成されたパンツ型の使い捨ておむつであって、
前記おむつは、吸収性コアの前後端部から前後方向へそれぞれ延出する腹部フラップ部及び背部フラップ部を有し、該腹部フラップ部及び背部フラップ部は、おむつの着用状態において、それらの端縁が着用者の臍点を越えて延在し着用者の腹部及び背部を十分に覆うような長さを有しており、
前記おむつに、該おむつの着用状態において、着用者の腸骨稜から上前腸骨棘にかけての部位に該おむつを固定し得る手段が備えられているパンツ型使い捨ておむつを提供することにより前記目的を達成したものである。
【発明の効果】
【０００９】
本発明のおむつは、装着直後の着用状態（外観）が良好であり、且つおむつの着用中に着用者の動作等に起因するおむつのずれ落ちが起こりづらい。また、腹部フラップ及び背部フラップが着用者の腹から背中に亘る部位を広範に覆うので、身体の冷え防止に非常に効果的である。特に体温の調節機能が十分でない幼児に有効である。腹部フラップ及び背部フラップは着用者の身体を緩く締め付けるだけなので、着用者に違和感を与えることがない。また装着操作を行いやすい。
【発明を実施するための最良の形態】
【００１０】
以下本発明を、その好ましい実施形態に基づき図面を参照しながら説明する。図１には、本発明のパンツ型使い捨ておむつの一実施形態の斜視図が示されている。図２には、図１に示すおむつを組み立てる前の状態の分解斜視図が示されている。図３には、図２におけるおむつの展開状態の平面図が示されている。なお以下の説明において、おむつの展開状態とは、おむつのサイドシール部が接合される前の状態をいう。
【００１１】
本実施形態のおむつ１は、液透過性の表面シート２、液不透過性の裏面シート３及び両シート２、３間に介在配置された液保持性の吸収性コア４を有する実質的に縦長の吸収体本体１０と、該吸収体本体１０の裏面シート３側に配された外包材１１とを備えている。
【００１２】
外包材１１は、その両側縁が、長手方向中央部において内方に括れた砂時計形の形状をしており、おむつの輪郭を画成している。外包材１１はその長手方向において、着用者の腹側に配される腹側部Ａと背側に配される背側部Ｂとその間に位置する股下部Ｃとに区分される。腹側部Ａ及び背側部Ｂは、外包材１１の長手方向前後端部に相当し、股下部Ｃは外包材１１の長手方向中央部に相当する。外包材１１は、その腹側部Ａの両側縁Ａ１，Ａ２と背側部Ｂの両側縁Ｂ１，Ｂ２とが互いに接合されて、おむつ１には胴開口部５及び一対のレッグ開口部６が形成される。この接合によって、おむつ１の左右両側縁には一対のサイドシール部Ｓが形成される。この接合には例えばヒートシール、高周波シール、超音波シール等が用いられる。
【００１３】
表面シート２、裏面シート３及び吸収性コア４はそれぞれ矩形状であり、一体化されて縦長の吸収体本体１０を形成している。表面シート２及び裏面シート３としては、従来この種のおむつに用いられているものと同様のものを用いることができる。また吸収性コア４は、高吸収性ポリマーの粒子及び繊維材料から構成されており、ティッシュペーパ（図示せず）によって被覆されている。
【００１４】
図２に示すように、吸収体本体１０の長手方向の左右両側には、液抵抗性ないし液不透過性で且つ通気性の素材から構成された側方カフス８、８が形成されている。各側方カフス８は、吸収体本体１０の長手方向に沿って固定端部及び自由端部を有している。固定端部は、表面シート２に固定されている。一方、自由端部の近傍には、側方カフス弾性部材８１が伸張状態で配されている。これにより側方カフス８が起立して、吸収体本体１０の幅方向への液の流出が阻止される。
【００１５】
外包材１１は、少なくとも二枚の不織布、即ち外層不織布１２と該外層不織布１２の内面側に配された内層不織布１３とを有している。外層不織布１２はおむつ１の外面をなし、内層不織布１３は外層不織布１２の内面側に、ホットメルト粘着剤等の接着剤によって接合されている。
【００１６】
外包材１１は、吸収体本体１０の前後端縁から前後方向へそれぞれ延出しており、延出した部分が腹部フラップ部Ｆａ及び背部フラップ部Ｆｂを形成している。腹部フラップＦａ及び背部フラップＦｂは、おむつ１の着用状態において、それらの端縁が着用者の臍点を越えて延在し着用者の腹部及び背部を十分に覆うような長さを有している。これによって、おむつ１の着用状態において、腹部フラップ及び背部フラップが着用者の腹から背中に亘る部位を広範に覆うようになる。その結果、着用者の身体が冷えることが効果的に防止される。特に幼児は体温の調節機能が未発達な場合があることから、本実施形態のおむつ１を幼児に着用させることは極めて効果的である。この観点から、腹部フラップＦａ及び背部フラップＦｂの幅（おむつ１の長手方向における腹部フラップＦａ及び背部フラップＦｂ長さ）は４０〜１００ｍｍ、特に５０〜９０ｍｍであることが好ましい。
【００１７】
外包材１１における腹部フラップ部Ｆａ及び背部フラップ部Ｆｂには、複数のフラップ部弾性部材５１、５１が外包材１１の幅方向に亘り配されている。各フラップ部弾性部材５１、５１は、外層不織布１２と内層不織布１３とによって伸張状態で挟持固定されている。各フラップ部弾性部材５１、５１は、おむつ１の腹側部Ａの両側縁Ａ１，Ａ２と背側部Ｂの両側縁Ｂ１，Ｂ２とを互いに接合させたときに、両弾性部材５１、５１の端部同士が重なるように配されている。これによって、図１に示すように、おむつ１の胴開口部５の付近には実質的に連続したリング状のギャザーが形成される。
【００１８】
外包材１１における左右両側の湾曲部には、レッグ部弾性部材６１ａ、６１ｂが配されている。各レッグ部弾性部材６１ａ、６１ｂは、前記湾曲部に沿って配されている。各レッグ部弾性部材６１ａ、６１ｂは、外層不織布１２と内層不織布１３との間に配されており、所定の接合手段によって、両不織布１２、１３に伸張状態で固定されている。各レッグ部弾性部材６１ａ、６１ｂは、その一端がどうしが股下部Ｃにおいて重なり合っている。一方、他端は腹側部Ａ及び背側部Ｂの各側縁の位置において終端している。各レッグ部弾性部材６１ａ、６１ｂは、おむつ１の腹側部Ａの両側縁Ａ１，Ａ２と背側部Ｂの両側縁Ｂ１，Ｂ２とを互いに接合させたときに、両弾性部材６１ａ、６１ｂの端部同士が重なるように配されている。これによって、図１に示すように、おむつ１のレッグ開口部６、６の付近には実質的に連続したリング状のレッグギャザーが形成される。
【００１９】
おむつ１においては、腹部フラップ部Ｆａ及び背部フラップ部Ｆｂとレッグ開口部６との間に、おむつ１の幅方向に延びる弾性部材７１ａが多数配されている。弾性部材７１ａが配されることによって、胴開口部５とレッグ開口部６との間にはおむつ１の幅方向に延在する領域７１が形成されている。領域７１には弾性部材７１ａが配されている。領域７１は、腹部フラップ部Ｆａ及び背部フラップ部Ｆｂとレッグ開口部６との間において、各フラップ部Ｆａ，Ｆｂに隣接して位置している。
【００２０】
弾性部材７１ａは外層不織布１２と内層不織布１３とによって伸張状態で挟持固定されている。弾性部材７１ａは、おむつ１の腹側部Ａの両側縁Ａ１，Ａ２と背側部Ｂの両側縁Ｂ１，Ｂ２とを互いに接合させたときに、腹側部Ａの弾性部材７１ａと背側部Ｂの弾性部材７１ａとの端部同士が重なるように配されている。これによって、おむつ１の腹側部及び背側部における領域７１にはギャザーが形成される。おむつの外側からの液の染み込み及び内側からの液のしみ出しを防止する観点から、内層不織布１３及び外層不織布１２は、両方の不織布が撥水性不織布であることが好ましい。
【００２１】
弾性部材７１ａは、おむつ１の左右両側縁（即ち外包材１１の左右両側縁）と吸収性コア４の左右両側縁との間に亘って延在している。そして、吸収性コア４が存在している部位には、弾性部材７１ａは実質的に存在していない。その結果、領域７１に形成されるギャザーは、おむつ１の左右両側縁と吸収性コア４の左右両側縁との間に位置しており、吸収性コア４が存在する位置にはギャザーが実質的に形成されていない。これにより、装着状態においても吸収性コア４が存在している部位は、弾性部材７１ａの収縮により外包材１１が縮むことがなく、おむつ１は外観的にも、また吸収性能的にも良好なものとなる。
【００２２】
本実施形態のおむつ１における各弾性部材としてはそれぞれ、天然ゴム、ポリウレタン系樹脂、発泡ウレタン系樹脂、伸縮性不織布又はホットメルト系伸縮部材等の伸縮性素材を糸状（糸ゴム）、帯状（平ゴム）、ネット状（網状）又はフィルム状に形成したものが好ましく用いられる。
【００２３】
本実施形態のおむつ１には、おむつ１の着用状態において、着用者の腸骨稜から上前腸骨棘にかけての部位に該おむつを固定し得る手段が備えられている。当該手段として本実施形態で採用している手段は、先に述べた領域７１に配されている弾性部材７１ａである。領域７１は、おむつ１を着用したときに着用者の腸骨稜から上前腸骨棘にかけての部位（以下、腸骨領域ともいう）に当接する部位に好ましくは形成されている。腸骨稜及び上前腸骨棘は解剖学の用語である。腸骨稜とは図４において９ａで示される部位であり、上前腸骨棘とは同図において９ｂで示される部位である。従来、パンツ型おむつの着用中のずれ落ちを防止するためには、特に幼児用のパンツ型使い捨ておむつの着用中のずれ落ちを防止するためには、胴開口部に配設する弾性部材の締め付け圧を高くして、該胴開口部によってパンツ型おむつを着用者の身体に密着させることが有効であると考えられてきた（例えば、先に述べた特許文献２参照）。しかし本発明者らの検討の結果、パンツ型おむつの着用中のずれ落ちを効果的に防止するためには、胴開口部の締め付け圧、即ち本実施形態においては腹部フラップＦａ及び背部フラップＦｂによって形成される部位の締め付け圧を高くするよりも、着用者の腸骨領域に対応するおむつの部位である領域７１の締め付け圧を従来よりも高めることが有効であることが見出された。この理由は、着用者、特に幼児は、その身体的な特徴として腹まわりが張り出しているので、当該張り出している腹まわりに当接する胴開口部の締め付け圧を高くすると、その締め付け圧が高い故に胴開口部が次第に絞り込まれて、腹まわりが細くなる部位にまで胴開口部がずれ下がってくるからである。
【００２４】
図５は赤ちゃんの体を円錐に見立てた状態を示している。図中、θはウエスト部（点Ａ）における接線に対する垂線と、体の中心に向かう水平線のなす角度を表し、Ｆは弾性体の締め付け力を示し、ＰはＦに起因する摩擦力を示し、ｆ１はＦに起因するズレ落ち力を示し、ｆ２は垂直抗力を示している。ここで、ｆ１＝Ｆｓｉｎθであり、またＰ＝νＮ＝νｆ２＝νＦｃｏｓθ（νは摩擦係数を表す）であるから、点Ａにおける下方に向くずれ落ち力Ｚは次式で表される。
Ｚ＝ｆ１−Ｐ＝Ｆｓｉｎθ−νＦｃｏｓθ＝Ｆ（ｓｉｎθ−νｃｏｓθ）
この式から、ウエスト部がずれ落ちの生じる状態にある場合、締め付け力（Ｆ）が大きい程ずれ落ち力が大きくなることが理解できる。
【００２５】
領域７１におけるおむつ１の着用時の圧力は１．１〜２．５ｋＰａであることが好ましい。これによって、着用者の身体を過度に締め付けることなく、領域７１を着用者の腸骨領域に首尾良く固定できるようになり、おむつ１のずれ落ちを効果的に防止できる。おむつ１のずれ落ちを一層効果的に防止し、また着用状態でのおむつ１の外観やおむつ１の装着操作を一層向上させる観点から、領域７１におけるおむつ１の着用時の圧力は１．１〜２．０ｋＰａであることが更に好ましく、１．２〜１．８ｋＰａであることが一層好ましい。なおこの圧力は、領域７１における弾性部材７１ａが配されている部位で測定された値である。
【００２６】
領域７１におけるおむつ１の着用時の圧力は、例えば弾性部材７１ａの太さや伸長率、或いは配設間隔を調整することでコントロールすることができる。
【００２７】
領域７１におけるおむつ１の着用時の圧力は、周長が５００ｍｍの円筒におむつ１を装着し、装着圧測定装置（（株）エイエムアイ・テクノ製の接触圧測定器（ＡＭＩ３０３７−２））によって測定される。具体的な測定法は以下の通りである。
【００２８】
〔領域７１の圧力の測定方法〕
φ＝１５ｍｍのエアパックを用い、腹側部における胴開口部先端位置に前記エアパックの中心が位置するようにセットし、装着圧（Ｐ１）を測定する。エアパックをセットするおむつ幅方向の位置は、おむつの左右両側縁と吸収性コア４の左右両側縁とのほぼ中心とする（図３参照）。続いておむつ１の長さ方向に５ｍｍエアパックの中心を移動させ装着圧（Ｐ２）を測定する。同様に５ｍｍ間隔で測定を行い、Ｐ３、Ｐ４、Ｐ５，・・・，Ｐｎを得る。Ｐ１ないしＰｎの測定は外包材１１における胴開口部からレッグ開口部までの左右両側部どうしが互いに接合されている範囲にわたって行う。Ｐ１ないしＰｎは腹側部において、左右２点ずつ計４点測定を行う。これらの平均値を腹側部の装着圧とする。同様に背側部においても、計４点測定を行い、平均値を背側部の装着圧とする。Ｐ１からＰｎの値において１．１〜２．５ｋＰａに連続的に該当する部位間の距離を領域７１の幅とする。例えば、Ｐ３からＰ６までが該当する場合、領域の幅＝（６−３）×５＝１５ｍｍとする。またその時の領域７１の中心は測定点３と測定点６の中点とする。
【００２９】
着用者の腸骨稜から上前腸骨棘にかけての部位には一定の幅があり、当該幅の範囲内で領域７１を当該部位に固定することで、おむつ１のずれ落ちを効果的に防止することができる。この観点から、本実施形態のおむつ１においては、領域７１の幅Ｗ（つまり、おむつ１の長手方向に沿う領域７１の長さ）を１５〜３５ｍｍとすることが好ましい。この幅が２０〜３５ｍｍ、特に２５〜３０ｍｍであると、おむつ１のずれ落ちを一層効果的に防止することができ、また着用状態でのおむつ１の外観やおむつ１の装着操作（はかせやすさ等）を一層向上させることができる。
【００３０】
おむつ１を着用した状態で、領域７１が着用者の腸骨稜から上前腸骨棘にかけての部位に当接するようにするためには、おむつ１の寸法と着用者の体格との関係が重要である。例えばパンツ型おむつの主たる着用対象者である幼児を考えた場合、おむつ１の展開状態において、腹側部Ａの領域７１の中心位置（おむつ１の長手方向に沿う中心位置）とおむつ１の長手方向中心線ＣＬとの間の距離Ｋ１を１８０〜２２０ｍｍとし、おむつ１の展開状態において、背側部Ｂの領域７１の中心位置（おむつ１の長手方向に沿う中心位置）とおむつ１の長手方向中心線ＣＬとの間の距離Ｋ２を１８０〜２２０ｍｍとすることで、領域７１を着用者の腸骨領域に首尾良く当接させることができる。この値はパンツおむつの主たる着用対象者である幼児約３５０人の身体計測を実施して決定されたものである。具体的には図６に示すように、上前腸骨棘の水平位置高さにある腹側部左右中心点を上前腸骨棘前中心とし、背側部を上前腸骨棘後中心とすると、上前腸骨棘前中心から股下を経由し上前腸骨棘後中心までの長さを上前腸骨棘高前後長とし、この上前腸骨棘高前後長におむつの材料による厚み等を考慮した必要長を加えて得られた数値を二分したものである。当該距離Ｋ１およびＫ２を１８５〜２１５ｍｍ、特に１８５〜２１０ｍｍとすることで、領域７１を着用者の腸骨領域に一層首尾良く当接させることができる。
【００３１】
領域７１は腹側部Ａ及び背側部Ｂに存在するが、腹側部Ａ及び背側部Ｂにおける装着時の圧力は全く同じである必要はない。即ち、腹側部Ａ及び背側部Ｂにおける領域７１の装着時の圧力が１．１〜２．５ｋＰａであることを満たせば、弾性体の素材、太さ、伸長率、配設間隔は腹側部Ａ及び背側部Ｂにおいて異なっていてもよい。しかし、腹側部Ａ及び背側部Ｂの領域７１の構成が過度に異なると、外包材１１における長手方向前後端部の左右両側部どうしが互いに接合されている部位が、装着時において前後いずれかにずれてしまい、おむつ１の外観に不具合が生じることがある。そこで、腹側部Ａ及び背側部Ｂにおける領域７１の装着時の圧力の大きい方をＡ、小さい方をＢとした時、（Ａ−Ｂ）／Ａの比が３０％以内であることが好ましい。
【００３２】
本発明において、おむつ１の長手方向中心線ＣＬとは、おむつ１の腹側部Ａの両側縁Ａ１，Ａ２と背側部Ｂの両側縁Ｂ１，Ｂ２とが実質的にずれることなく互いに接合されている場合においては、おむつ１の展開状態におけるＡ１、Ｂ１の中点を通るおむつ幅方向に沿う直線のことをいう（図３参照）。これと異なり、例えば図７（ａ）及び（ｂ）に示すように、腹側部Ａの両側縁Ａ１，Ａ２が、背側部Ｂの両側縁Ｂ１’，Ｂ２’と接合されておらず、両側縁Ｂ１’，Ｂ２’よりも長手方向内方の位置であるＢ１，Ｂ２において接合されている場合においては、Ｂ１，Ｂ２からＢ１’，Ｂ２’にかけての領域をないものと仮定した上で、前述と同様に、おむつの長手方向中心線を定める。
【００３３】
なお、おむつ１の展開状態における外包材１１の全長Ｌは任意に設定可能であるが、おむつ装着時および使用後の「安心感」および「ずれ落ち防止性」を考慮すると、４９０〜６１０ｍｍに設定することが好ましい。
【００３４】
先に述べた通り、本実施形態におむつ１においては、主として、領域７１に配された弾性部材７１ａによる締め付け力によっておむつ１を着用者の身体に固定している。換言すれば、腹部フラップ部Ｆａ及び背部フラップ部Ｆｂに配された弾性部材５１による締め付け力は、本実施形態のおむつ１においては、おむつ１を着用者の身体に固定するための主たる手段ではない。逆に弾性部材５１の締め付け力を高くしてしまうと、おむつ１のずれ落ちが助長されてしまうことが本発明者らによって確認されている。この観点から、本実施形態のおむつ１においては、おむつ着用時の腹部フラップ部Ｆａ及び背部フラップ部Ｆｂの圧力は、０．２〜１．５ｋＰａとなされていることが好ましい。この圧力は、おむつ着用時の領域７１の圧力よりも低いことが好ましい。また、おむつ着用時の腹部フラップ部Ｆａ及び背部フラップ部Ｆｂの圧力を前記範囲内とすることで、おむつ１の着用時に胴開口部５を拡開しやすくなり、装着操作を行いやすくなるという利点もある。特に本実施形態のおむつ１においては、従来のパンツ型おむつに比較して胴開口部５の深さが深いことから、その部分での締め付け圧力が高いと装着操作を非常に行いにくくなるが、腹部フラップ部Ｆａ及び背部フラップ部Ｆｂの圧力を前記範囲内とすることで、そのような不都合を回避することができる。おむつ着用時の腹部フラップ部Ｆａ及び背部フラップ部Ｆｂの圧力が０．２ｋＰａ以下であると、装着する前のおむつ１の自然長が大きくなり、衣服として見たときの見映えが悪い等の不具合が生じることがある。
【００３５】
おむつ着用時の腹部フラップ部Ｆａ及び背部フラップ部Ｆｂの圧力が、更に好ましくは０．３〜１．２ｋＰａ、一層好ましくは０．３〜１．０ｋＰａとなされていると、おむつ１のずれ落ちを一層効果的に防止することができる。腹部フラップ部Ｆａ及び背部フラップ部Ｆｂの圧力は、先に述べた領域７１の圧力と同様の方法によって測定することができる。即ち、おむつ１の胴開口部５に周長５００ｍｍの円筒を挿入（装着）し、装着圧（Ｐ１）を測定する。エアパックをセットするおむつ幅方向の位置は、おむつの左右両側縁と吸収性コア４の左右両側縁とのほぼ中心とする。続いておむつ長さ方向に５ｍｍエアパックの中心を移動させ装着圧（Ｐ２）を測定する。同様に５ｍｍ間隔で測定を行い、Ｐ３、Ｐ４、Ｐ５，・・・，Ｐｍを得る。Ｐ１ないしＰｍの測定はおむつ長手方向において領域７１の上端までとする。Ｐ１ないしＰｍは腹側部において、左右２点ずつ計４点測定を行い、平均値を腹側部の装着圧とする。同様に背側部においても、計４点測定を行い、平均値を背側部の装着圧とする。腹部フラップ部Ｆａ及び背部フラップ部Ｆｂの圧力は、例えば弾性部材５１の太さや伸長率、或いは配設間隔を調整することでコントロールすることができる。
【００３６】
腹部フラップ部Ｆａ及び背部フラップ部Ｆｂの締め付け圧を低くすると、それに起因してこれらフラップ部の剛性が小さくなり、これらフラップ部に皺やたるみ、折れが生じて、着用状態でのおむつ１の外観が損なわれるおそれがある。また、腹部フラップ部Ｆａ及び背部フラップ部Ｆｂの剛性が小さくなるとおむつのずれ落ち、特に、腹側中央部分におけるずれ落ちが生じてしまう。そこで本実施形態のおむつ１においては、これらフラップ部の縦方向（つまりおむつ１の縦方向）の剛性を１０〜４０Ｎ／ｍ、好ましくは１２〜３５Ｎ／ｍ、更に好ましくは１５〜３５Ｎ／ｍとなして、そのような不都合が生じることを回避している。この場合、腹部フラップ部Ｆａ及び背部フラップ部Ｆｂの剛性は同じになるようにしてもよく、或いは異ならせてもよい。
【００３７】
腹部フラップ部Ｆａ及び背部フラップ部Ｆｂの縦方向の剛性は次の方法で測定される。おむつ１から腹部フラップ部Ｆａ及び背部フラップ部Ｆｂの幅方向略中央部から試料（縦方向３０ｍｍ×横方向５０ｍｍ）を切り出す。チャック間距離を２０ｍｍとしたテンシロン万能試験機に試料を挟み、速度１０ｍｍ／分で縦方向に圧縮していったときの最大荷重を測定する。その荷重値を横方向幅（５０ｍｍ）で除す。測定は少なくとも６サンプルにて行い、その平均値をもって前記の剛性の値とする。
【００３８】
更に本実施形態のおむつ１においては、おむつ着用時のレッグ開口部６の圧力が、１．０〜２．４ｋＰａ、特に１．２〜２．２ｋＰａとなされていることが好ましい。おむつ着用時のレッグ開口部６の圧力が前記範囲内であることによって、レッグ開口部６の開口端が着用者の鼠蹊部に適正にフィットし、着用者の脚周りからの液漏れを効果的に防止することができる。また、使用時において排尿／排便によりおむつの股下における重量が増加した際においても、股下において吸収体が着用者の身体から離間することが防止され、着用中のおむつ１の外観も低下及び尿や便の漏れが防止される。その結果、着用状態のおむつ１を良好な状態に保つことができる等の効果を得ることができる。
【００３９】
レッグ開口部の装着圧は次の方法で測定される。装置／エアパックはウエスト開口部の測定と同じである。おむつ１のレッグ開口部６に周長３００ｍｍの円筒を挿入（装着）し、弾性部材６１ａ，６１ｂが配置された部位にて円周方向に５０ｍｍ間隔で６点測定を行う。弾性部材６１ａ，６１ｂが複数本存在する場合は、該弾性部材が配置されている領域の幅中心点にて測定を行う。右足および左足計１２点の平均値をレッグ開口部６の装着圧とする。レッグ部弾性部材６１ａ，６１ｂが完全に、あるいは部分的にないものに関しては相当部位における側方カフス弾性部材８１が配置されている領域の装着圧をもってレッグ開口部の装着圧とする。円筒の周長を３００ｍｍとした理由は、本実施形態のおむつ１を着用する主たる対象者である幼児の鼠蹊部（足まわり）の長さの平均がおおよそ３００ｍｍであることによる。
【００４０】
本発明は前記実施形態に制限されない。例えば前記実施形態においては、おむつ１の着用状態において、着用者の腸骨領域におむつ１を固定し得る手段として、領域７１に配された弾性部材７１ａを用いたが、これに代えて、外包材１１の腹側部及び背側部それぞれに、おむつ１の着用状態において、着用者の腸骨領域に当接する部位に、着用者の肌と接触し、摩擦力を大きくする手段が施されていてもよい。摩擦力を大きくする手段としては、ポリオレフィン系、スチレン系、ポリウレタン系エラストマーを用いたシート、フィルム、不織布等を、おむつ内面（おむつ肌対向面）に貼り合わせたもの等が挙げられる。また、ホットメルト等の粘着剤をおむつ内面に塗布してもよい。おむつのずれ落ち防止性を考慮すると、前記摩擦力を大きくする手段において、肌との摩擦係数は０．８以上であることが好ましい。肌との摩擦係数が大きいと、小さな締めつけ力でも大きな摩擦力が得られる。その結果、着用によって弾性部材の跡が肌に残ることが軽減され、またはかせやすさが向上する等の付加的な効果が生じる。
【００４１】
摩擦力を大きくする手段に代えて、おむつ装着後に、着用者の腸骨領域の装着圧力が前記範囲内（１．１〜２．５ｋＰａ）となるように、該腸骨領域に対応するおむつ１の部位を、ベルト等で締め付けてもよい。或いは、おむつ１の装着時には着用者の腸骨領域に当接しない部位であっても、着用中のおむつ１の位置ずれによって結果的に着用者の腸骨領域に当接する部位に、装着圧力が前記範囲内となるように弾性部材を配してもよい。
【００４２】
また前記実施形態のおむつ１においては、弾性部材７１ａがおむつ１の左右両側縁と吸収性コア４の左右両側縁との間のみに配されているが、この構成に限定されることはなく、吸収性コア４の左右両側縁のみ弾性部材７１ａの一部を重ねることもできるし、おむつの幅方向全長に亘って配置させることもできる。この場合には、吸収性コア４と重なる部分の外包材１１には弾性部材７１ａにより収縮させる力が働くことになる。しかしそのような場合においても、吸収性コア４が配されている領域に位置する外包材１１を、粘着剤により吸収性コア４に貼り付けることで、コア４の剛性を利用して弾性部材の収縮を抑制し、コア４が配された部分における外包材１１に皺が発生することを防止することができる。また、外層及び内層不織布１２，１３に挟持固定されている弾性部材７１ａを、吸収性コア４が配されて部分だけは、不織布１２，１３に殆ど固定させないことによっても、コア４が配された部分における外包材１１に皺が発生することを防止することもできる。
【００４３】
また図８に示すように、腹部フラップ部Ｆａ及び背部フラップ部Ｆｂにおいては、接合固定時の伸長率や、材質、太さ、配設間隔等の異なる２種以上の弾性部材５１ａ，５１ｂを用いてもよい。
【００４４】
また図９に示すように、腹側部Ａの領域７１において、弾性部材７１ａをおむつの幅方向全域に亘って配し、且つ弾性部材７１ａの中央部分を、おむつの股下部Ｃへ向けて凸状に湾曲させてもよい。
このような弾性部材７１ａの湾曲形状によって、おむつ１の着用時に弾性部材７１ａの押圧力が安定して着用者の腹まわりに作用するようになる。特に、腹まわりが張り出している幼児の体型におむつが一層フィットしやすくなる。その結果、おむつの上下方向の位置ずれが起こりにくくなる。
【００４５】
更に、図１０に示すように、腹側部Ａの領域７１において複数の弾性部材７１ａをおむつの幅方向全域に亘って配し、且つおむつの股下部Ｃ寄りに位置する数本の弾性部材７１ａを股下部Ｃへ向けて凸状に湾曲させてもよい。この場合、股下部Ｃに近い弾性部材７１ａほど、その湾曲の程度を大きくすることが好ましい。弾性部材７１ａのこのような配置によって、腹まわりの広い範囲を弾性部材７１ａで覆うことができる。その結果、左右方向の収縮に加えて、上下方向の収縮の力が発生するので、おむつの上下方向の位置ずれの防止と、おむつの幅方向中央部を上方に引き上げる効果を発生させることができる。
【００４６】
また外包材１１においては、内層不織布１３及び外層不織布１２の何れか一方だけを、撥水性不織布とすることが可能である。また側方カフス８で十分な防漏性を確保できる場合には、内層不織布１３及び外層不織布１２の両方に透水性不織布も用いることも可能である。
【実施例】
【００４７】
以下、実施例により本発明を更に詳細に説明する。しかしながら本発明の範囲はかかる実施例に制限されるものではない。
【００４８】
〔実施例１並びに比較例１及び２〕
図１ないし図３に示すパンツ型おむつを作製した。吸収体本体１０における表面シート２は、坪量２５ｇ／ｍ2の親水性エアースルー不織布から構成されている。裏面シート３、は坪量２０ｇ／ｍ2のポリエチレンシートから構成されている。また外包材１１における外層不織布１１は、坪量２５ｇ／ｍ2の撥水性エアースルー不織布から構成されており、内層不織布は、坪量１８ｇ／ｍ2の撥水性スパンボンド不織布から構成されている。各弾性部材によって生じる圧力は、弾性素材の種類、および伸長率を変えることで調整した。得られたおむつにおける各値を表１に示す。
【００４９】
得られたおむつを１〜２才の幼児３人に装着させ、以下の評価を行った。その結果を表１に示す。
（１）着用状態での外観（安心感）
○：安心感あり
△：やや安心
×：不安感あり
（２）装着６０分後のおむつの位置ずれ
○：位置ずれ無し
△：やや位置ずれあり
×：位置ずれあり
（３）装着６０分後のおむつの皺、たるみの発生
○：無し
△：ややあり
×：あり
【００５０】
【表１】
2006043015.tif 000003
【００５１】
表１に示す結果から明らかなように、実施例１のおむつは、着用状態での外観が良好であり使用者に安心感を与えるものであることが判る。実施例２のおむつは、腹部及び背部のフラップ部剛性が低く、おむつの位置ずれ、おむつの皺／たるみが若干生じるが、問題のないレベルのものである。比較例１のおむつは、腹部フラップ部及び背部フラップ部の先端位置が臍点よりも下であることから、安心感が劣るものである。また、寝冷えの防止効果もない。比較例２のおむつは、着用者の腸骨領域におむつを固定し得る手段を備えていないので、位置ずれが発生した。
【図面の簡単な説明】
【００５２】
【図１】本発明のパンツ型使い捨ておむつの一実施形態を示す斜視図である。
【図２】図１に示すおむつを組み立てる前の状態を示す分解斜視図である。
【図３】図２における外包材の展開状態を示す平面図である。
【図４】腸骨を示す説明図である。
【図５】着用者のウエスト部におけるずれ落ち力の算出方法を示す説明図である。
【図６】上前腸骨棘高前後長の測定方法を示す説明図である。
【図７】図７（ａ）は本発明のおむつの別の実施形態を示す斜視図であり、図７（ｂ）は図７（ａ）に示すおむつの展開状態を示す平面図である。
【図８】本発明のおむつの別の実施形態を示す、展開状態での平面図である。
【図９】本発明のおむつの別の実施形態を示す、展開状態での平面図である。
【図１０】本発明のおむつの別の実施形態を示す、展開状態での平面図である。
【符号の説明】
【００５３】
１  パンツ型使い捨ておむつ
２  表面シート
３  裏面シート
４  吸収性コア
５  胴開口部
６  レッグ開口部
Ｆａ  腹部フラップ部
Ｆｂ  背部フラップ部
【図１】
2006043015.tif 000004
【図２】
2006043015.tif 000005
【図３】
2006043015.tif 000006
【図４】
2006043015.tif 000007
【図５】
2006043015.tif 000008
【図６】
2006043015.tif 000009
【図７】
2006043015.tif 000010
【図８】
2006043015.tif 000011
【図９】
2006043015.tif 000012
【図１０】
2006043015.tif 000013